(57)【要約】【課題】レジャーボートや競技用ボートのように水面近傍を高速に航行するのに最適な形状でありながら、潜航した航行も可能な水上水中両用玩具を提供する。【解決手段】船形状の甲板と船底とが隙間なく密着した船体と、前記船底面に設けられるスクリュと、前記船底面に制御可能に設けられるラダーと、船尾に設けた進行方向に向けて窪む凹部と、前記凹部最下端に前記凹部の窪み形状と同等形状で凹部に対して水平軸に制御可能に軸支される昇降舵とを備える。【選択図】図１
2008125919.tif 000002
【特許請求の範囲】
【請求項１】
船形状の甲板と船底とが隙間なく密着した船体と、
前記船底面に設けられるスクリュと、
前記船底面に制御可能に設けられるラダーと、
船尾に設けた進行方向に向けて窪む凹部と、
前記凹部最下端に前記凹部の窪み形状と同等形状で凹部に対して水平軸に制御可能に軸支される昇降舵と、
を備える水上水中両用玩具。
【請求項２】
前記昇降舵の傾斜角を船体に対して水平とした際には水上航行し、
前記昇降舵の傾斜角を船体に対して後傾とした際には潜航可能な請求項１記載の水上水中両用玩具。
【請求項３】
前記甲板と前記船底との間に船体を周回する溝部を備えることを特徴とする請求項１記載の水上水中両用玩具。
【請求項４】
前記凹部は、船尾側が幅広であって船頭側が幅狭であり、前記昇降舵の形状が等脚台形であることを特徴とする請求項１記載の水上水中両用玩具。
【請求項５】
前記昇降舵と前記ラダーと前記スクリュとが無線操縦による遠隔制御可能であることを特徴とする請求項１記載の水上水中両用玩具。
【発明の詳細な説明】
【技術分野】
【０００１】
本発明は、玩具に関し、特に水上水中のいずれをも航行可能である水上水中両用玩具に関するものである。
【背景技術】
【０００２】
潜水可能な玩具として潜水艦の玩具が提案され、例えば一時期潜行し、その後に浮上を繰り返す玩具が提案されていた。また、特許文献１では紡錘形状の潜水艇が提案されて、船体内の水を送出したときの反力を利用する方法が提案されている。
【０００３】
【特許文献１】特開２０００−２６２７７１号公報、図３、第１頁
【発明の開示】
【発明が解決しようとする課題】
【０００４】
従来の玩具は、潜水可能な水上水中両用玩具の形状は専ら紡錘形の潜水艦型の形状の玩具が多かった。潜水艦型の形状であれば複数の昇降舵や水平翼を船体の側壁に突設させることとなる。これらの形状は潜航に特化した形状であって、レジャーボートや競技用ボートのように水面近傍を高速に航行するのに最適な形状ではなかった。
【０００５】
一方で、レジャーボートや競技用ボートの形状をしながら潜航する場合には船体側面に水平翼や昇降舵を設ける必要があり、潜航するのに必要な効果を得るために水平翼や昇降舵の長さを長くすることとなり、本来、横幅の長いこれらの船体にさらに長い昇降舵を適用すると横幅が益々長くなり意匠的にも適切でないこととなる。
【０００６】
そこで、本発明の目的は上記の課題を解決すべく、レジャーボートや競技用ボートのように水面近傍を高速に航行するのに最適な形状でありながら、潜航した航行も可能な水上水中両用玩具を提供することにある。
【課題を解決するための手段】
【０００７】
本発明に係る水上水中両用玩具は、船形状の甲板と船底とが隙間なく密着した船体と、前記船底面に設けられるスクリュと、前記船底面に制御可能に設けられるラダーと、船尾に設けた進行方向に向けて窪む凹部と、前記凹部最下端に前記凹部の窪み形状と同等形状で凹部に対して水平軸に制御可能に軸支される昇降舵とを備える。
【０００８】
前記昇降舵の傾斜角を船体に対して水平とした際には水上航行し、前記昇降舵の傾斜角を船体に対して後傾とした際には潜航可能である。
【０００９】
また、前記甲板と前記船底との間に船体を周回する溝部を備えてもよく、前記凹部は、船尾側が幅広であって船頭側が幅狭であり、前記昇降舵の形状が等脚台形であってもよい。
【００１０】
さらに、前記昇降舵と前記ラダーと前記スクリュとが無線操縦による遠隔制御可能であってもよい。
【発明の効果】
【００１１】
本発明に係る水上水中両用玩具は、船形状の甲板と船底とが隙間なく密着した船体と、前記船底面に設けられるスクリュと、前記船底面に制御可能に設けられるラダーと、船尾に設けた進行方向に向けて窪む凹部と、前記凹部最下端に前記凹部の窪み形状と同等形状で凹部に対して水平軸に制御可能に軸支される昇降舵と、を備えるので、複雑な構造をとることなく、レジャーボートや競技用ボートのように水面近傍を高速に航行するのに最適な形状でありながら、潜航した航行も可能となる。
【００１２】
前記昇降舵の傾斜角を船体に対して水平とした際には水上航行し、前記昇降舵の傾斜角を船体に対して後傾とした際には潜航可能であるため、平易な操作でレジャーボートや競技用ボートのように水面近傍を高速に航行するのに最適な形状でありながら、潜航した航行も可能となる。
【００１３】
また、前記甲板と前記船底との間に船体を周回する溝部を備えることでより安定して潜航することができる。
【００１４】
加えて、前記凹部は、船尾側が幅広であって船頭側が幅狭であり、前記昇降舵の形状が等脚台形であることでより大きな推進力を得ることができる。
【００１５】
さらに、前記昇降舵と前記ラダーと前記スクリュとが無線操縦による遠隔制御可能とすることで、操縦者から離れた場所でも水上と水中のいずれにおいても自由に浮上と潜航が可能となる。
【発明を実施するための最良の形態】
【００１６】
以下、図面により本発明の実施形態としての水上水中両用玩具について説明すると、図１はその実施形態の水上水中両用玩具の全体傾斜図、図２はその実施形態の水上水中両用玩具の側面図、図３はその実施形態の水上水中両用玩具の凹部拡大図、図４はその実施形態の水上水中両用玩具の水上航行時の昇降舵拡大図、図５はその実施形態の水上水中両用玩具の潜航時の昇降舵拡大図である。又、図６はその実施形態の水上水中両用玩具の無線操縦ブロック構成図である。
【００１７】
まず、図１について実施形態について説明する。本発明の実施形態としての水上水中両用玩具２は舟形の甲板４の後部に２本の支持部材８に支えられたリヤウイング６が設けられる。また、甲板４の後部であって２本の支持部材８の中間に凹面１６と内側面１４からなる凹部１２が設けられる。この凹部１２は、凹面１６が幅狭であり内側面１４は後方に向けて幅広に設定される。ここでは図示されない昇降舵３４は、この凹部１６と同様の形状である等脚台形に構成される。さらに、甲板４の後部を除き、前方と側方に溝部１０が刻設される。
【００１８】
この甲板４の裏面となる船底１８について図２を用いてさらに説明する。船底１８には、その長手方向の中央にセンターボード２０が水平方向下向きに突設され、このセンターボード２０の進行方向に対して後方にスクリュハウジング２２が隣接して設けられ、このスクリュハウジング２２からスクリュ軸２４がさらに後方に突設されてその先端にスクリュ２６が回転自在に設けられる。
【００１９】
このスクリュ２６に所定の間隔を空けて後方に回動制御可能にラダー３０が設けられる。スクリュ２６とラダー３０を挟み込むように船底１８に２枚のスケグ２８を突設することでより水流を整えることができる。
【００２０】
このラダー３０からさらに所定の間隔を空けて後方に傾斜角が制御自在な昇降舵３４が設けられる。この昇降舵３４は、船底１８後方部分下向き立設される２つの昇降舵固定用軸支持部３２の間に傾斜自在に軸支され、昇降底板３６と、側部に立設される昇降舵側板３８と、昇降底板３６と一定の角度を持って連接される押さえ板４０とから構成される。
【００２１】
この昇降舵３４は、昇降舵固定用軸支持部３２の間に傾斜自在に軸支される一方で、船体内に内蔵されるサーボモータによって駆動される。サーボモータの駆動軸４１は凹部１２の内側面１４の中央に図３に示されるように突設され、クランク４２と連結される。クランク４２の駆動軸４１と連結される側に対して他端にロッド４４を係止する穴部が開口され、このロッド４４を装着するロッドカバー４６が昇降舵側板３８にピン固定される。なお、クランク４２と昇降舵側板３８とはロッドカバー４６を用いなくともロッドのみで接続することも可能である。
【００２２】
続いてこの昇降舵３４の動作について図４及び図５を用いて本発明の実施形態としての水上水中両用玩具２の動作について説明する。
【００２３】
送信機からの信号にしたがって、スクリュ２６が回転することで水上水中両用玩具２は前方に推進し、ラダー３０の方向が変化することで進行方向が変化する。
【００２４】
次に船体内に内蔵されるサーボモータが回転してクランク４２の先端を上方向に移動させると、ロッド４４とロッドカバー４６を介して昇降舵３６の船体に対する傾斜角を水平とすることによって推進力の方向が船体の水平方向に対して前方上向き(矢印Ａ方向)となる。すると船頭が船体の水平方向に対して上昇して、水上航行状態となり、通常の船舶と同様の水平航行動作がなされる。
【００２５】
一方、サーボモータが回転してクランク４２の先端を下方向に移動させると、ロッド４４とロッドカバー４６を介して昇降舵３６の傾斜角を船体に対して後傾とすることによって推進力の方向が船体の水平方向に対して前方下向き(矢印Ｂ方向)となる。すると船頭が船体に対して下降して、船体自体は潜航状態となる。
【００２６】
こうして、本発明の実施形態としての水上水中両用玩具２は、レジャーボートや競技用ボートのように水面近傍を高速に航行するのに最適な形状でありながら、水上航行と潜航のいずれの航行もおこなうことができる。
【００２７】
続いて、図６を用いて本発明の実施形態としての水上水中両用玩具２に無線操縦による遠隔制御を適用する場合について説明する。
【００２８】
図６は、本発明の実施形態としての水上水中両用玩具２について操舵駆動部４３、スクリュ駆動部４４、昇降舵駆動部４６、ラダー３０、スクリュ２６、及び昇降舵３６を制御する制御部の構成を示すブロック図である。
【００２９】
水上水中両用玩具２は、送信機５４からの制御信号を受信するアンテナ５６と、信号受信部４８と、制御信号を受けて進行方向等の各駆動部を制御するコントロール部５０と、コントロール部５０からの制御信号を受けて船内にそれぞれ設けられたラダー３０を駆動する操舵駆動部４３と、コントロール部５０からの制御信号を受けてスクリュ２６を駆動するスクリュ駆動部４４と、水上航行と潜航とを切り替え制御するための昇降舵３６を駆動する昇降舵駆動部４６と、電源５２とから構成されている。
【００３０】
図６は、本発明の実施形態としての水上水中両用玩具２の回路図を示している。操舵駆動部４３と昇降舵駆動部４６はサーボモータから構成され、スクリュ駆動部４４は通常の電動モータから構成される。
【００３１】
水上航行する場合の制御においては、送信機からの制御信号により受信部４８よりコントロール部５０から昇降舵駆動部４６に信号が送信されて昇降舵３６の昇降底板３６の押さえ板４０側を上昇させる。
【００３２】
一方、潜航する場合の制御においては、送信機からの制御信号により受信部４８よりコントロール部５０から昇降舵駆動部４６に信号が送信されて昇降舵３６の昇降底板３６の押さえ板４０側を下降させる。
【００３３】
こうして、本発明の実施形態としての水上水中両用玩具２は、レジャーボートや競技用ボートのように水面近傍を高速に航行するのに最適な形状でありながら、潜航と水上航行のいずれの航行もおこなうことができる。
【００３４】
なお、本実施例では甲板４の後部を除き、前方と側方に溝部１０を設ける構成を示したが、溝部１０を設けない構成とすることも本発明の設計事項の範囲内である。
【図面の簡単な説明】
【００３５】
【図１】本発明に係るその実施形態の水上水中両用玩具の全体傾斜図である。
【図２】本発明に係るその実施形態の水上水中両用玩具の側面図である。
【図３】本発明に係るその実施形態の水上水中両用玩具の凹部拡大図である。
【図４】本発明に係るその実施形態の水上水中両用玩具の水上航行時の昇降舵拡大図である。
【図５】本発明に係るその実施形態の水上水中両用玩具の潜航時の昇降舵拡大図である。
【図６】本発明に係るその実施形態の水上水中両用玩具の無線操縦ブロック構成図である。
【符号の説明】
【００３６】
２  水上水中両用玩具
４  甲板
８  支持部材
６  リヤウイング
１６  凹面
１４  内側面
１２  凹部
１０  溝部
１８  船底
２０  センターボード
２２  スクリュハウジング
２４  スクリュ軸
２６  スクリュ
３０  ラダー
３４  昇降舵
３２  昇降舵固定用軸支持部
３６  昇降底板
３８  昇降舵側板
４０  押さえ板
４１  駆動軸
４２  クランク
４４  ロッド
４６  ロッドカバー
５４  送信機
５６  アンテナ
４８  信号受信部
５０  コントロール部
【図１】
2008125919.tif 000003
【図２】
2008125919.tif 000004
【図３】
2008125919.tif 000005
【図４】
2008125919.tif 000006
【図５】
2008125919.tif 000007
【図６】
2008125919.tif 000008